(57)【特許請求の範囲】
【請求項１】
伴奏曲と歌声とを含む原曲の音楽データがサブコードデータと共に記録された第１の記録部と、この原曲の伴奏曲のみの音楽データがサブコードデータと共に記録された第２の記録部と、前記第１の記録部および第２の記録部に記録された音楽データに関するＴＯＣデータまたはインデックスデータが記録された記録領域とが同じ記録媒体に設けられ、
前記第１の記録部と第２の記録部に記録されたデータおよび前記ＴＯＣデータまたはインデックスデータを読み取る読取り手段と、
前記第１の記録部に記録された原曲と前記第２の記録部に記録された伴奏曲との切換箇所を指示する入力部と、
前記読取り手段で読み取られたＴＯＣデータまたはインデックスデータを記憶するとともに、前記入力部で指示された原曲と伴奏曲との切換箇所に関する情報をタイムコードデータとして記憶する記憶手段と、
前記記憶手段に記憶された前記ＴＯＣデータまたはインデックスデータに基づいて前記第１の記録部に記録されている原曲と前記第２の記録部に記録されている伴奏曲の再生開始位置がサーチされるとともに、前記記憶手段に記憶されたタイムコードデータおよび前記第１の記録部および第２の記録部から読み取られるサブコードデータに基づいて、前記原曲と前記伴奏曲の同じ曲部分を、互いに同じ時間となるように交互に切換えて再生するように前記読取り手段を制御する制御手段と、
が設けられていることを特徴とする音響再生装置。
【発明の詳細な説明】
【０００１】
【産業上の利用分野】
本発明は、同じ記録媒体または異なる記録媒体に記録された原曲と、この原曲の伴奏曲とを交互に再生できるようにして、いわゆるカラオケ練習を可能とした音響再生装置に関する。
【０００２】
【従来の技術】
従来のカラオケ用の音響再生装置では、ＣＤ（コンパクトディスク）やＬＤ（レーザディスク）から伴奏曲のみが再生されるようになっている。
また最近ではシングルＣＤなどの同じディスク内に、伴奏曲および歌声から成る原曲と、この原曲の伴奏曲とが共に記録されたものも普及している。
【０００３】
【発明が解決しようとする課題】
前記伴奏曲のみが再生されるカラオケ用の音響装置の場合には、歌声を含む原曲が再生されないため、十分に練習をしていない曲の場合には、伴奏曲の抑揚に歌声を合せることができない。
また原曲と伴奏曲とが共に記録されたシングルＣＤなどを再生する場合、原曲を全て聞いてから伴奏曲を再生することになるため、原曲を繰返して十分に聞いてからでないと、伴奏にうまく合せて歌うことができない。また上記シングルＣＤを自動車に搭載された音響再生装置にて再生する場合、運転中に歌詞カードを見るわけにはいかないため、伴奏曲に合せて正確な歌詞にて歌うことができない。
【０００４】
本発明は上記従来の課題を解決するものであり、原曲と伴奏曲とを交互に聞くことができるようにして、例えば歌詞カードを見なくても歌の練習をすることができるようにした音響再生装置を提供することを目的としている。
【０００５】
【課題を解決するための手段】
本発明による音響再生装置は、伴奏曲と歌声とを含む原曲の音楽データがサブコードデータと共に記録された第１の記録部と、この原曲の伴奏曲のみの音楽データがサブコードデータと共に記録された第２の記録部と、前記第１の記録部および第２の記録部に記録された音楽データに関するＴＯＣデータまたはインデックスデータが記録された記録領域とが同じ記録媒体に設けられ、
前記第１の記録部と第２の記録部に記録されたデータおよび前記ＴＯＣデータまたはインデックスデータを読み取る読取り手段と、
前記第１の記録部に記録された原曲と前記第２の記録部に記録された伴奏曲との切換箇所を指示する入力部と、
前記読取り手段で読み取られたＴＯＣデータまたはインデックスデータを記憶するとともに、前記入力部で指示された原曲と伴奏曲との切換箇所に関する情報をタイムコードデータとして記憶する記憶手段と、
前記記憶手段に記憶された前記ＴＯＣデータまたはインデックスデータに基づいて前記第１の記録部に記録されている原曲と前記第２の記録部に記録されている伴奏曲の再生開始位置がサーチされるとともに、前記記憶手段に記憶されたタイムコードデータおよび前記第１の記録部および第２の記録部から読み取られるサブコードデータに基づいて、前記原曲と前記伴奏曲の同じ曲部分を、互いに同じ時間となるように交互に切換えて再生するように前記読取り手段を制御する制御手段と、
が設けられていることを特徴とするものである。
【０００８】
上記において、記録媒体はコンパクトディスク（ＣＤ）、シングルＣＤ、再生専用のミニディスク（ＭＤ）などであり、これらのディスク１枚の中に原曲が記録された第１の記録部と伴奏曲のみが記録された第２の記録部とが設けられているものが使用される。あるいは、同じ種類のディスクが２枚使用され、またはコンパクトディスクとミニディスクなどの組み合せにて異なる種類のディスクが２枚使用され、一方のディスクに原曲が記録された第１の記録部が設けられ、他方のディスクに伴奏曲のみが記録された第２の記録部が設けられたものとすることができる。あるいは第１の記録部と第２の記録部とを共にＩＣカードや、内蔵メモリに設け、または第１と第２の記録部の一方を前記いずれかの種類のディスクに設け、他方をＩＣカードや内蔵メモリに設けてもよい。
【０００９】
また、前記第３の手段において、いずれかの記録部に書込み手段による書込みを行う場合には、第１と第２の記録部の双方、またはいずれか一方の記録部が、書込みと読取り兼用のミニディスク、あるいはＩＣカードや内蔵メモリに設けられる。
【００１０】
また読取り手段と書込み手段は、使用される記録媒体がディスクの場合には、再生専用または記録・再生兼用の光ヘッドであり、使用される記録媒体がＩＣメモリや他のメモリの場合にはメモリコントローラなどである。
【００１１】
【作用】
上記第１の手段では、同じ記録媒体または異なる記録媒体に第１の記録部と第２の記録部とが設けられたものが使用される。記録媒体がディスクの場合には、このディスクから読み取られたＴＯＣ（Ｔａｂｌｅ  ｏｆ  Ｃｏｎｔｅｎｔｓ）データが参照され、記録媒体がＩＣカードや内蔵メモリなどである場合には、これらに記憶されたインデックスデータが参照されて再生動作が行われる。この再生動作では、まず第１の記録部に記録された原曲（伴奏曲と歌声を含む曲）の一部分が再生され、次に第２の記録部に記録された伴奏曲のうち原曲の再生箇所と同じ部分が再生される。次に第１の記録部に記録された原曲の残りの一部が再生され、次に第２の記録部に記録された同じ曲部分の伴奏曲が再生され、以後これが繰返される。
【００１２】
このときの曲の切換箇所であるが、一定の時間間隔（例えば５秒〜１０秒ごと）にて原曲と伴奏曲とが切換えられるようにしてもよい。ただしこの場合に区切りの悪い箇所にて曲が切換えられることになるため、例えば予め曲の区切りの良い切換箇所をＴＯＣデータまたはインデックスデータに記録しておき、再生に先だってＴＯＣデータまたはインデックスデータを読取りメモリに記憶しておき、このＴＯＣデータまたはインデックスデータの切換箇所を参照して、原曲と伴奏曲とを切換えるようにしてもよい。
【００１３】
また、第２の手段では、ＴＯＣデータやインデックスデータに曲の切換箇所の情報を含ませることなく、この曲の切換箇所の情報を制御手段内のメモリなどに記憶させるようにする。例えば、最初に第１の記録部を再生して原曲を全て聞き、聴取者が原曲を聞いているときに、自分で区切りたいと思った箇所にて入力部に設けられたいずれかの操作釦を押す。記録媒体が例えばコンパクトディスク（ＣＤ）などである場合には、再生される音響データと共にサブコードデータが読出され、メモリまたはレジスタなどに記憶される。このサブコードデータには再生中の曲の時間や累計の再生時間を示すタイムコードや曲番などのデータが含まれ、あるいはデータの再生絶対位置を示すデータなどが含まれる。前述のように聴取者が原曲を再生しているときに操作釦が押されると、制御部では、前記サブコードデータに基づき、操作釦が押されたときのその原曲の再生位置が時間情報または再生されたデータ長として認識され、その時間またはデータ位置が主制御部内のメモリなどに記憶される。
【００１４】
原曲を全て再生し、操作釦により全ての切換箇所が入力され、例えば次に再生釦が押されると、原曲と伴奏曲とが交互に再生される。このとき、前記メモリなどに記憶された時間情報やデータ長の情報に基づき、制御部ではまず第１の記録部から原曲が再生され、最初の切換箇所に至った後に、第２の記録部からの再生動作となり、伴奏曲が前記原曲と同じ時間長またはデータ長だけ再生される。さらに第１の記録部から原曲が再生され、次の切換箇所の時間またはデータ長となったときに第２の記録部から伴奏曲が同じ時間またはデータ長だけ再生される。そしてこれを繰返すことになる。
【００１５】
前記第３の手段では、記録媒体として書込みと読取り兼用のミニディスクやその他の書込みと読取りが可能なＩＣカードや内蔵メモリなどが使用される。まずミニディスクレコーダなどを使用して第１の記録部に原曲を録音する際に、この録音と同時に、聴取者が原曲の切換箇所をレコーダの操作釦により任意に入力する。記録媒体には、原曲の録音と同時に切換箇所の情報が記録される。あるいは第１の記録部に原曲を録音した後に新ためて第１の記録部に切換箇所の情報を入力することも可能である。
【００１６】
次に上記記録媒体を用いて録音と同じ機器にて、あるいは異なるプレーヤにて再生動作を行うと、第１の記録部から原曲が再生され、またその記録部から最初の切換箇所の情報が読出され、次に第２の記録部からの読取りに切換えられ、第２の記録部から伴奏曲が同じ時間またはデータ長だけ再生される。そしてこれが繰返される。
上記のように、原曲と伴奏曲とが一部分ずつ繰返して再生されるため、原曲を部分的に聞いた後にすぐその部分の伴奏曲を聞くことができ、歌詞カードを見ることなくカラオケの練習ができることになる。特に自動車を運転しているときに、歌詞カードを見る必要がないため、運転の安全性を保つことができる。
【００１７】
前記第２の手段および第３の手段のように、原曲と伴奏曲の切換箇所を操作釦により任意に入力できるようにすることにより、曲の特徴や聴取者の歌の好みに応じた切換箇所を設定することが可能になる。
また、原曲と伴奏曲との切換え時に、「ピー」などの音の発信音を出すようにしてもよい。
【００１８】
【実施例】
以下、本発明の実施例を図面により説明する。
図１は本発明の第１実施例の音響再生装置を示す回路ブロック図、図２は切換箇所の情報の入力動作を示す説明図、図３は原曲と伴奏曲が交互に再生される状態を示す説明図、図４は再生動作を示すフローチャートである。
図１は、車載用の音響再生装置を示している。この音響再生装置に装填される記録媒体としてのディスクＤは、いわゆるシングルＣＤである。ディスクＤには、リードイン側にＴＯＣエリアが設けられ、それよりも外周の部分にデータエリアが設けられている。データエリアには、例えば２曲の原曲（伴奏曲と歌声が録音されたもの）が記録され、その後に前記２曲の原曲と同じ曲の伴奏曲（カラオケ曲）が記録されている。この場合２曲の原曲が記録されている部分が第１の記録部で、２曲の伴奏曲が記録されている部分が第２の記録部となる。
【００１９】
データエリアに記録されているデータは、前記各曲が符号化された音響データとフレームごとに設けられたサブコードデータとから成る。サブコードデータには、曲番号（曲の識別データ）と、それぞれの曲の先頭からの再生時間および全曲の累計の再生時間を示すタイムコードなどが記録されている。またＴＯＣエリアにはＴＯＣデータが記録されている。このＴＯＣデータは、それぞれの曲の曲番号や、それぞれの曲の開始時間（開始位置）と終了時間（終了位置）などを示すデータである。
音響再生装置に上記ディスクＤが挿入されると、搬入ローラなどにより引き込まれ、ターンテーブル１１上にクランプされる。ターンテーブル１１はスピンドルモータＭにより回転駆動される。ターンテーブル１１およびスピンドルモータＭが、ディスクの回転駆動機構を構成している。
【００２０】
ディスクＤには読取り手段として光ヘッドＨが対向する。光ヘッドＨ内の半導体レーザから発せられたレーザ光は対物レンズＬによりディスクＤの記録面に集束される。ディスクの記録面のピットにて変調された戻り光は光ヘッドＨ内の受光素子により検出されるが、光ヘッドＨでの検出出力（再生出力または読取り出力）のうちのＲＦ出力はＲＦアンプ１に送られ、増幅され且つ波形整形されてデコーダ２に送られる。デコーダ２では、波形整形されたＲＦ信号から音響データ、ＴＯＣデータ、サブコードデータとパリティなどが得られる。音響データに対してはパリティにより誤り訂正がなされ、音響データが復調される。そして音響データはＤ／Ａ変換器（ディジタル−アナログ変換器）３によりアナログ信号に変換され、オーディオ出力（音響出力）となる。
主制御部（システムコントローラ）４は、制御プログラムが格納されるＲＯＭ５ｂ、および制御プログラムに基づく処理動作を実行するＣＰＵ５ａと、各種データが記憶されるメモリ（記憶部：ＲＡＭ）５ｃ、さらにはレジスタなどから構成されている。デコーダ２にて得られたＴＯＣデータとサブコードデータは経路（イ）により主制御部４に与えられる。ＴＯＣデータはメモリ（ＲＡＭ）５ｃに保持される。またサブコードデータもメモリ５ｃに保持されあるいは主制御部４内のレジスタに保持される。また入力部６は各種操作釦を有し、主制御部４に再生動作などの指示を行うものである。
【００２１】
駆動制御部（サーボコントローラ）８は、主制御部４により制御される。光ヘッドＨ内の４分割受光部などにより得られたトラッキングエラー信号とフォーカスエラー信号は経路（ロ）により駆動制御部８に与えられる。駆動制御部８から与えられるトラッキングサーボ信号とフォーカスサーボ信号とにより、光ヘッドＨ内にてトラッキング補正動作およびフォーカス補正動作が行われる。
また光ヘッドＨは、光ヘッド駆動手段９によりディスクＤの半径方向へ送られる。この光ヘッド駆動手段９は、例えばモータドライバ、モータ、およびこのモータにより駆動されるスクリュー軸を有し、光ヘッドＨがこのスクリュー軸に螺合され、スクリュー軸の回転に伴ってディスクＤの半径方向へ駆動される。前記スピンドルモータＭはモータ駆動手段（モータドライバ）１０により定速駆動される。なお、光ヘッド駆動手段９とモータ駆動手段１０は、駆動制御部８にて制御される。
【００２２】
つぎに、上記構成の音響再生装置の動作について説明する。
図１に示す音響再生装置では、同じディスクＤのデータエリアの、第１の記録部に記録されている原曲と、第２の記録部に記録されている前記原曲と同じ曲の伴奏曲とが一部分ずつ交互に再生される。
原曲と伴奏曲との切換えのタイミング（切換箇所）の設定としては種々の方法があるが、最も基本的なのは一定時間ずつ原曲と伴奏曲とを切換える方法である。この場合には、主制御部４内のＲＯＭ５ｂに格納したプログラムにて、例えば１０秒ごとに原曲と伴奏曲とを切換える動作をカラオケ練習モードとして設定しておく。また入力部６の操作釦の入力により、原曲と伴奏曲とを切換える時間を任意に設定できるようにしてもよい。
【００２３】
再生動作としては、まずディスクＤがターンテーブル１１に装填されると、スピンドルモータＭによりディスクＤが回転駆動され、光ヘッド駆動手段９により光ヘッドＨがディスクＤのリードイン位置へ移動させられて、光ヘッドＨによりリードイン位置のＴＯＣデータが読出される。このＴＯＣデータはデコーダ２から主制御部４へ送られ、メモリ（ＲＡＭ）５ｃに記憶される。
入力部６の操作釦により「カラオケ練習モード」の設定入力を行い、さらに操作釦により希望する原曲（例えば２曲目）の選択指示が入力されると（図４のＳＴ１参照）、主制御部４では、まずメモリ５ｃに記憶されたＴＯＣデータを参照して選択された曲の曲番（例えば２曲目）の位置が算出され、駆動制御部８にサーチ動作の指令が出される。これに基づき光ヘッド駆動手段９により光ヘッドＨが希望する原曲の開始位置へ移動し、曲の開始位置がサーチされる。そして原曲の再生が行われ、デコーダ２およびＤ／Ａ変換器３を経て原曲がスピーカから流れる（ＳＴ２）。この間、ディスクから音響データと共に読出されたサブコードデータが主制御部４内のメモリ５ｃまたはレジスタに順次読み込まれ、その曲の先頭からの再生時間が常に認識できるようになっている。
【００２４】
前記サブコードデータ内のタイムコードを参照して、前記のように予め設定されていた時間（例えば１０秒間）に至ったと判断されると（ＳＴ３）、主制御部４から駆動制御部８に再生切換えのための指令が出される。このときにはＴＯＣデータが参照され、ディスクの第２の記録部に記録されている伴奏曲のうちの前記原曲と同じ曲の伴奏曲の開始位置がサーチされる。駆動制御部８により制御された光ヘッド駆動手段９により光ヘッドＨが前記伴奏曲の開始位置へ移動させられ、伴奏曲が再生される（ＳＴ４）。
このときも伴奏曲の音響データと共にサブコードデータがデコーダ２にて復調され、主制御部４のＲＡＭ５ｃまたはレジスタに送られる。ＣＰＵ５ａでは、このサブコードデータ内のタイムコードを参照し、原曲が再生された部分と同じ部分（同じ時間）だけ伴奏曲が再生されたか否か監視する（ＳＴ５）。伴奏曲が同じ時間だけ再生されると、原曲の再生に切換えられる。このときに前回の原曲の再生の終了時点でＲＡＭ５ｃに記憶されていたサブコードデータが参照され、光ヘッドＨにより前回再生した原曲の続きの部分がサーチされ、その位置から原曲が再度再生される（ＳＴ２）。これを繰返すことにより、原曲と伴奏曲が同じ時間（例えば１０秒毎）繰返して再生される。そして伴奏曲が１曲分全て再生されたと判断されたときに（ＳＴ６）、再生を終了する（ＳＴ７）。
【００２５】
このように、原曲と伴奏曲の同じ曲の部分が一部ずつ交互に再生されるので、聴取者は、原曲を聞いてリズムや歌詞を覚え、その直後に同じ部分の伴奏曲の再生に合せて歌うことができる。
ただし、上記のようにＲＯＭ５ｂに格納されたプログラムなどにより、原曲と伴奏曲との切換間隔を、例えば１０秒間のように一定時間に決めた場合、原曲と伴奏曲との切換が歌詞の言葉の途中となったり、あるいは曲の抑揚の途中となったりして現実的でない。
【００２６】
そこで、ディスクＤに記録された原曲の特徴に合わせた切換箇所の情報をＴＯＣデータに記録しておくことにより、より現実的なカラオケ練習が可能になる。前述のようにディスクＤがターンテーブル１１に装填された直後に、光ヘッドＨによりＴＯＣデータが読出され、これが主制御部４のＲＡＭ５ｃ内に記憶される。したがって、ディスクＤにデータを記録する際に、ＴＯＣデータ内に切換え箇所を示すデータを付加しておけば、ディスクＤが装填されたときにＴＯＣデータ内の切換箇所のデータも一緒にメモリ（ＲＡＭ）５ｃに記憶されることになる。この切換箇所を示すデータは、原曲と伴奏曲との切換箇所をタイムコードデータとしたもの、またはデータ長の情報にしたものである。
【００２７】
入力部６の操作釦により「カラオケ練習モード」を設定し、且つ再生釦を押すと、図４に示したのと同様に、最初に原曲の開始位置がサーチされ、原曲の一定長さの部分が光ヘッドＨにより読出されオーディオ出力となる。このときＣＰＵでは、ＲＡＭ５ｃに記憶されたＴＯＣデータ内の切換箇所に関するデータと、順次読出されるサブコードデータのタイムコードとが比較され、切換箇所に至ったら（図４のＳＴ３）、伴奏曲の再生に切換えられる。そして、伴奏曲の再生長（再生時間）が原曲と同じ長さに至ったときに（ＳＴ５）、再生が原曲に切換えられる。そしてその曲の伴奏曲の終了まで切換えが繰返される。
このように、ＴＯＣデータに切換箇所のデータを含ませておくと、その曲の特徴に合わせて、原曲と伴奏曲とが切換えられるようになる。
【００２８】
また、ＴＯＣデータに切換箇所のデータを含ませなくても、聴取者の入力操作により原曲と伴奏曲との切換箇所を任意に設定することも可能である。
その動作としては、まず入力部６の操作釦により、ディスクＤの第１の記録部に記録されたいずれかの原曲を指定して、その原曲を１曲通して再生する。聴取者は再生されている原曲を聞きながら、入力部６の所定の操作釦を押す。例えば図２（Ａ）に示すように、原曲１２ａを聞いている途中で、その抑揚や歌詞の区切りに合せて、伴奏曲へ切換えたいと思う位置（時刻）（Ｉ，ＩＩ，ＩＩＩ，…）を操作釦にて入力する。この操作入力は主制御部４のＣＰＵにて判読され、メモリ（ＲＡＭ）５ｃにてサブコードデータのタイムコードデータと共に記憶される。あるいは、原曲の再生の際に順次読み取られてくるサブコードデータのタイムコードデータと、入力部６の操作入力に基づき、ＣＰＵ５ａでは、曲のそれぞれの部分（Ａ，Ｂ，Ｃ，…）の開始位置（開始時刻）と時間長（データ長）またはＡ，Ｂ，Ｃ，…の終了位置（終了時刻、切換時刻）が、時間長またはデータ長として演算され、その結果が切換情報データとしてＲＡＭ５ｃに記憶される。
【００２９】
原曲の再生が完了した後に、入力部６の操作釦により「カラオケ練習モード」が設定され、さらに再生釦が押されると、前記原曲１２ａの開始位置がサーチされ、原曲１２ａが操作釦が最初に押されたＩの位置まで再生される（Ａ部分）。主制御部４にて、読取られた原曲のサーブコードデータのタイムコードと前記切換情報データとが比較され、Ａ部分の再生が完了したと判断されると、光ヘッドＨが第２の記録部へ移動し、原曲１２ａと同じ伴奏曲１２ｂの開始位置がサーチされ、伴奏曲１２ｂが再生される。伴奏曲の再生の際に読出されるサブコードデータのタイムコードにより原曲のＡの部分と同じ長さのａの部分が再生されたと判断されると、再度原曲１２ａがＩの位置からＢの長さだけ再生される。次に伴奏曲１２ｂのｂの部分（Ｂと同じ曲部分）が再生される。
その結果、図３に示すように原曲と伴奏曲の同じ曲部分がＡ−ａ−Ｂ−ｂ−Ｃ−ｃ…の順に切換えられて再生されることになる。
【００３０】
なお、Ｉ，ＩＩ，ＩＩＩ，…の時点で入力部６から入力され、ＲＡＭ５ｃに記憶された切換情報データは、「カラオケ練習モード」が解除されるまでＲＡＭ５ｃに保持され続ける。
この例では、実際に曲を聞きながら、原曲と伴奏曲とを切換えたいと思う箇所を聴取者自ら入力できるので、自分の好みに合わせた曲の切換えが可能である。またＴＯＣデータなどに特別のデータを含ませる必要がないので、伴奏曲が含まれた市販のシングルＣＤなどをそのまま使用できる。また音響再生装置の構造としては従来のＣＤプレーヤと同じでよく、ＲＯＭ５ｂに格納するプログラムにカラオケ練習モードに関する制御動作フローを含ませるだけでよいため、車載用や家庭用のＣＤプレーヤにオプションとして簡単に付加できる。
【００３１】
図５は、記録媒体のディスクＤとしてミニディスク（ＭＤ）が使用されるものであり、録音と再生が可能な音響再生装置を示している。
ミニディスクを使用する音響再生装置では、記録しようとうするアナログ音響情報がＡ／Ｄコンバータ２１によりディジタル化され、圧縮エンコーダ２２により可聴域の情報を主体としたデータとして圧縮されて符号化される。前記圧縮エンコーダ２２により圧縮符号化されたデータはメモリ（バッファメモリ）２４に記憶され、記憶された情報はメモリコントローラ２３の制御によりミニディスクへの記録タイミングに合わせてエンコーダ２５に送られる。記録データは、エンコーダ２５によりフォーマット化されヘッド駆動部２６に出力される。ヘッド駆動部２６では、前記フォーマット化されたデータに基づいて変調された変調電流が形成され、この変調電流が磁気ヘッド２７に送られる。同時に光ヘッド２８からのレーザ光束によりディスクＤが加熱され、磁界変調によりディスクに記録が行われる。
【００３２】
再生時にはディスクＤから読出され波形整形部３２にて波形整形されたデータが、デコーダ３３によりデフォーマット化され、メモリコントローラ２３によりメモリ２４に所定量記憶される。記憶されたデータは、メモリコントローラ２３の制御により、所定量読出され伸長デコーダ３４に出力される。メモリ２４はショックプルーフとして機能する。伸長デコーダ３４では、前記メモリ２４から読み出された圧縮データが伸長されてディジタル情報として復元され、このディジタル情報がＤ／Ａコンバータ３５によりアナログ信号に変換されてオーディオ出力となる。
光ヘッド２８と磁気ヘッド２７とで書込み手段が構成され、また光ヘッド２８により読取り手段が構成される。光ヘッド２８は、前述のように記録時にはレーザ光によりディスクＤの記録面を加熱し、再生時にはディスクＤからのレーザ戻り光が検出される。光ヘッド２８は光ヘッド駆動手段２９によりディスクＤの半径方向へ移動制御され、またレーザ光の照射強度が制御される。
【００３３】
符号３０はスピンドルモータを含むモータ駆動手段であり、このモータ駆動手段３０は、駆動制御部３１からの制御により、対物レンズＬにより照射されるレーザ光のスポットとディスクＤの記録面の線方向の相対速度が常に一定になるように回転力を出力する。光ヘッド駆動手段２９およびモータ駆動手段３０は、駆動制御部３１により制御される。
主制御部４は図１に示したのと同様にＣＰＵ５ａ、ＲＯＭ５ｂ、メモリ（ＲＡＭ）５ｃおよびレジスタなどを備えたものである。入力部６は各種操作釦が配列されたものである。
ミニディスク（ＭＤ）では、ＴＯＣエリアに、記録された曲の曲番や記録位置に関するデータが記録されている。１枚のミニディスクが使用される音響再生装置では、同じディスクのデータエリアに、複数の原曲と、その原曲と同じ曲の複数の伴奏曲とが記録される。データエリアのうち原曲が記録されている部分が本発明での第１の記録部となり、伴奏曲が記録されている部分が第２の記録部となる。
【００３４】
図５に示したミニディスクを使用する音響再生装置では、原曲と伴奏曲とを繰返す際の切換えを、図１の実施例にて説明したのと同じに行うことができる。
例えばＲＯＭ５ｂに格納されたプログラムにより、第１の記録部の原曲と第２の記録部の伴奏曲とを、例えば１０秒などの同じ時間間隔にて繰返して再生してもよいし、あるいは特殊な記録プログラムを用いてＴＯＣエリアのＴＯＣデータに、原曲と伴奏曲との切換え箇所のデータを含ませてもよい。または図２と図３に示したように、最初に原曲を１曲通して聞きながら、入力部６の操作によりＩ，ＩＩ，ＩＩＩのように切換え箇所を入力し、入力された切換箇所に関するデータをＲＡＭ５ｃなどに記憶するようにしてもよい。
【００３５】
ただし、図５に示すような記録可能な音響再生装置を使用する場合には、ミニディスクに原曲を録音する際に切換箇所に関するデータを一緒にディスクに書き込むことができる。例えば、録音中の原曲を聞きながら伴奏曲との切換箇所にて入力部６の操作釦を押す。操作釦が押されたときに、予め決められた切換箇所を示すコードをメモリ（ＲＡＭ）５ｃなどからエンコーダ２５に送り、音響データと共に記録されるサブコードデータ内に切換箇所を意味するコードを付加してディスクＤのデータエリアに記録する。
【００３６】
再生の際には、デコーダから送られるサブコードデータから、主制御部４にて切換箇所を意味するコードを読取り、このとき原曲から伴奏曲へ再生を切換えるようにする。これにより、原曲を録音する際に聴取者が希望する位置に伴奏曲との切換箇所に関するデータを加えることができるようになる。
また、ミニディスクのようにデータを圧縮して記録し、また伸長して復調する音響再生装置では、原曲と伴奏曲との切換えの際の無音時間を短くできる。図１に示すＣＤを用いた音響再生装置では、ディスクＤの原曲の一部分の再生が終了した後に伴奏曲Ｃの再生開始位置をサーチし、それから再生を開始し、次に原曲の再生開始位置をサーチして再生を再開するため、原曲と伴奏曲との切換時に図３にて符号１３で示す無音時間が長く発生する。
【００３７】
しかし、図５に示すミニディスクなどを使用する音響再生装置では、再生動作時に光ヘッド２８により読み取られ、デコーダにて復調された圧縮データがメモリ２４に一時的に保存され、その後に伸長デコーダ３４によりデータ伸長されてオーディオ出力となる。したがって、実際に光ヘッド２８によりディスクからデータを読出している時間は、曲の時間よりも短くなっており、通常はこの時間差分だけ、光ヘッド２８がディスクの記録トラックの同じ部分をスキップ走査するようになっている。したがって、例えば原曲のある部分のデータを光ヘッド２８が読取り終わった直後に、伸長デコーダ３４にてデータが伸長されている時間を利用して、光ヘッド２８により伴奏曲の開始位置のサーチを開始することができる。このような制御を行うことにより、原曲と伴奏曲との切換えの際の無音時間を短くできる。
また図１と図５の実施例において、再生動作時に原曲と伴奏曲との切換えの際に、スピーカから発信音やチャイム音が流れるようにすることも可能である。さらに、例えば図３においてＢとｂで示すように同じ部分の原曲と伴奏曲とをリピート再生できるようにし、同じ部分のカラオケ練習が繰返しできるようにし、リピート動作を操作釦により解除したときに、原曲の次のＣの部分に移行させるようにしてもよい。
【００３８】
なお、図１と図５に基づいて説明した実施例では、ＣＤやＭＤなどの１枚のディスクに、原曲を記録した第１の記録部と伴奏曲を記録した第２の記録部とが設けられたものとなっているが、例えば２枚のＣＤあるいは２枚のＭＤまたはＣＤとＭＤが同時に再生できるようになっている音響再生装置、あるいはＣＤまたはＭＤとカセットテープとが同時に再生できるようになっている音響再生装置の場合には、一方の記録媒体に原曲を記録し他方の記録媒体に伴奏曲を記録し、両記録媒体を交互に再生動作させるようにすることもできる。
また、記録媒体として音響データを圧縮して記録できるＩＣカードや大容量の内蔵メモリを使用することができる。この場合、ＣＤやＭＤなどを再生し原曲または伴奏曲をＩＣカードやメモリに記録し、同時に曲の切換箇所に関する情報も一緒にＩＣカードやメモリに記録しておく。そしてＣＤまたはＭＤなどとＩＣカードやメモリなどから交互に原曲と伴奏曲を読出すようにしてもよい、ＩＣカードやメモリを使用する場合、読取り手段と書込み手段はメモリコントローラとなる。
【００３９】
【発明の効果】
以上のように、本発明では、原曲と伴奏曲とが一部分ずつ交互に再生されるため、原曲を部分的に聞き、その直後に同じ部分の伴奏曲を聞いて歌うことができるので、カラオケ練習としては最適なものとなる。また車載用の場合には、運転中などに歌詞カードを見ることなくカラオケ練習が可能になる。
【００４０】
また原曲と伴奏曲との切換箇所を、その曲の特徴や好みに合せて設定することも可能である。
【図面の簡単な説明】
【図１】本発明の第１実施例の音響再生装置を示す回路構成ブロック図、
【図２】原曲と伴奏曲の切換箇所の入力指示を説明する説明図、
【図３】原曲と伴奏曲との交互の再生動作を説明する説明図、
【図４】本発明の第１実施例の音響再生装置の動作を説明するフローチャート、
【図５】本発明の第２実施例の音響再生装置を示す回路構成ブロック図、
【符号の説明】
１  ＲＦアンプ
２  デコーダ
３  ディジタル／アナログ変換器
４  制御部
５ａ  ＣＰＵ
５ｂ  ＲＯＭ
５ｃ  ＲＡＭ
６  入力部
８  駆動制御部
９  光ヘッド駆動手段
１０  モータ駆動手段
１２ａ  原曲
１２ｂ  伴奏曲
Ａ〜Ｃ  原曲の再生部分
ａ〜ｃ  伴奏曲の再生部分
Ｄ  ディスク
Ｈ  光ヘッド
Ｍ  スピンドルモータ
【図１】
0003545043.tif 000002
【図２】
0003545043.tif 000003
【図３】
0003545043.tif 000004
【図４】
0003545043.tif 000005
【図５】
0003545043.tif 000006